(57)【要約】【課題】日常生活には、浴室や調理場でタオルや布巾を絞って脱水する機会が多い。この動作は両手が使える健常者には無難な動作あるが、片麻痺、怪我、関節痛などの諸事情から片手しか使えない状況ではたいへん困難である。そこで、片手でタオルの脱水をしなければならない人に、操作が簡単で、構造が単純で、浴場などにも携帯できる軽量のタオル脱水器の提供を目的とする。【解決手段】本発明は、使用中の濡れタオルを本発明の脱水装置の円筒に直接流し込む様に入れ、次に円筒の上口から押圧棒でタオルを押圧し、円筒内ではタオルの全ての部分に押圧が働き脱水できる機構によって、片手のみで可能になる新規なタオル脱水器を実現したものである。【選択図】  図１
2006296547.tif 000002
【特許請求の範囲】
【請求項１】
濡れタオルを投入する円筒容器機構と、タオルを押圧して脱水する押圧機構と、押圧により濡れタオルから脱水された水を排水させる濾過機構と、タオルを取出するために円筒部を斜倒させる回転機構と、これらの機構の連結機構と、を主な構成とするタオル脱水器。
【請求項２】
濡れタオルは円筒容器に投入され、円筒容器内で押圧により脱水される請求項１に記載のタオル脱水器
【請求項３】
押圧により濡れタオルから脱水された水が円筒側壁の穿孔と円筒底部のストレーナーから排水される請求項１から請求項２のいずれかに記載のタオル脱水器。
【請求項４】
脱水圧縮されたタオルを円筒部の斜倒により円筒底部から取出する請求項１から請求項３のいずれかに記載の脱水器。
【発明の詳細な説明】
【技術分野】
【０００１】
本発明は、片手のみでタオルの脱水を可能にするために開発された装置に関するものである。
【背景技術】
【０００２】
健常者は、通常、両手でタオルを絞って脱水している。しかし、両手を使えない状況、例えば片麻痺や、肘や手首に痛みのある場合にタオルを絞るのは、たいへん困難である。このような状況下でのタオルの脱水法を調べると、（１）タオルの一端を掴んで強く振る、（２）タオルを一端から握り締めていく、（３）タオルの一端を足で踏み他端を手でねじる、（４）タオルを二つ折りにし中央部を水道蛇口に引っ掛けてねじる、（５）健常者に依頼するなどの手段がとられている。多人数の需要があれば、電動脱水機の設置も可能であるがそのような設置箇所が少ないのが現状である。タオル絞りの文献は、電動式装置が多くみられる。手動で操作できる文献としては以下のものがある。
【０００３】
特許公開２０００−２８３６４８ （以下、特許文献１という）に、「前記タオルの一方の端部を前記回転軸に対して回転しないように支持する第１のタオル支持手段と、前記フレームに前記第１のタオル支持手段に対向して設けられ、前記タオルの他方の端部を前記フレームに対して回転しないように支持する第２のタオル支持手段と、前記回転軸を前記フレームに対して回転させるための回転駆動手段と、を備えたことを特徴とするものである。（特許文献１の第０００５段落）」、「タオル絞り装置において、前記回転駆動手段が、前記回転軸の他端に連結されたハンドルであることを特徴とするものである。（特許文献１の第０００６段落）」の記載がある。
【０００４】
特許公開平８−７５３５２（以下、特許文献２という）に、 「台座の左右上面に所要間隔をとって一対の回転子を軸支し、両回転子に複数本のしぼり帯体を張設するとともに、相互に逆回転する伝動手段を連結し、一方の回転子を回動手段に連結して成る。（特許文献２の第０００４段落）」の記載がある。
【０００５】
登録実用新案第３０６２７７５号（以下、特許文献３という）に、「本考案は、ぬれたタオルを挟んで押す上下の板２枚の合わさる面を山型の凹凸のあるスノコ状にして噛み合わせた。上下のスノコの間にぬれたタオルを置き、テコの力を利用して押し棒で上のスノコを押すことによりスノコの間から絞った水が落ちる物であり、問題点を解決している。（特許文献３の第０００４段）」の記載がある。
【０００６】
【特許文献１】特許公開２０００−２８３６４８
【特許文献２】特許公開平８−７５３５２
【特許文献３】登録実用新案第３０６２７７５号
【発明の開示】
【発明が解決しようとする課題】
【０００７】
日常生活には、浴室や調理場でタオルや布巾を絞って脱水する機会が多い。この動作は両手が使える健常者には無難な動作あるが、片麻痺、怪我、関節痛などの諸事情から片手しか使えない状況ではたいへん困難である。そこで、片手でタオルの脱水をしなければならない人に、操作が簡単で、構造が単純で、浴場などにも携帯できる軽量のタオル脱水器の提供を目的とする。
【０００８】
特許文献１は、装置にタオルをセットし、ハンドルを回転させてタオルを絞っているが、装置にタオルをセットする動作、外す動作、絞るためのハンドルの回転など片手だけで行うには煩雑であり、また、ハンドルの回転に耐えるだけの装置の大きさと重量を必要とし、手軽な装置の観点からは問題がある。
【０００９】
特許文献２は、装置の回転子のしぼり帯体にタオルを挿通し、回転子の回転軸を回転させて絞っているが操作も片手では煩雑であり、また、軽量で手軽な装置の観点からも問題がある。
【００１０】
特許文献３は、２枚の凹凸のある山型スノコ上板と下板との間にタオルを挟み、スノコ上板の一端をテコの力を利用して押すことでタオルの脱水を行う装置である。簡便な方法であるが、板に挟まれたタオルは厚薄を生じるので、最も厚みのある部分には強い圧力が働き脱水できるが、厚みの薄い部分は最も厚い箇所が障害となるため加圧が十分に作用せず、その部分の脱水が困難となる問題がある。
【課題を解決するための手段】
【００１１】
片手でタオルを脱水しなければならない状況の人が、片手のみでタオルを脱水できる装置を開発するにあたり、本願発明者は、操作は簡単で安全に、装置の構造は単純、軽量で携帯できるように、などに留意して発明を完成し、上記課題を解決した。すなわち、
【００１２】
本発明は、使用中の濡れタオルを本発明の脱水装置の縦立した円筒に直接流し込む様に投入し、次に円筒の上口から押圧棒で下方へタオルを押圧する。円筒であるからタオル全体に押圧が働き十分に脱水できる機構によって、単純な機構の片手のみで可能になる新規なタオル脱水器を実現したものである。
【００１３】
本発明のタオル脱水器は、タオルを投入する容器の中空真円の円筒からなる円筒容器機構と、タオルを加圧する押圧棒機構と、円筒が縦立時に円筒の底板とストレーナーとを兼有する濾過機構と、縦立の円筒部をタオル取出位置まで斜倒させる回転機構とを主な構成とするタオル脱水器である。
【００１４】
タオルを脱水する円筒容器の側壁には、濡れタオルから圧出した水が容器壁から容易に洩出するための多くの穿孔がある。また、押圧棒でタオルを押圧している際の円筒部の底部にはストレーナーがある。押圧により濡れタオルから圧出した水は円筒容器の側壁の穿孔と底板のストレーナーの両方から排出される。
【００１５】
円筒容器内で押圧棒の加圧で脱水されたタオルは、押圧棒を引き抜くと円筒容器の底に圧縮された状態になっているから、円筒容器を斜倒させて円筒容器底部を露呈させて取り出す。円筒容器の縦立と斜倒には、円筒容器保持のアームがタオル脱水器の基体からの支柱に蝶番で付設された回転機構が機能する。
【００１６】
本発明の装置はアルミニウム、ステンレス、またはプラスチックなどで形成できる。
【発明の効果】
【００１７】
本発明の装置の使用により、片麻痺、怪我、関節痛などの諸事情から片手しか使えない人が、片手のみで布巾やタオルの脱水が可能になる。本発明の装置は軽量であり、操作は簡単で、単純な構造であるから、清浄し易く、清潔に保つことのできるなどの利点がある。本発明の片手で可能なタオル脱水器は自助具であり福祉器具的効果がある。
【発明を実施するための最良の形態】
【００１８】
本発明の片手のみで可能なタオル脱水器は、濡れタオルを投入する容器の中空真円の円筒機構と、タオルを加圧する押圧機構と、円筒部が縦立時に円筒部の底板とストレーナーとを兼有する濾過機構と、縦立の円筒をタオル取出位置に斜倒させる回転機構と、これらの機構の連結機構と、を主な構成とするタオル脱水器である。
【００１９】
本発明の実施の形態を本発明装置に基づき、本発明装置の円筒機構、押圧機構、濾過機構、回転機構、連結機構の構成と関連について説明する
【００２０】
本発明の斜視図を図１に示す。タオル脱水器１１の円筒容器２１内のタオルを押圧棒３１で押圧した状態を示している。円筒容器２１はタオル脱水器１１の基体４４からの支柱５５の先端の蝶番７７に円筒容器２１からのアーム６６で蝶着されている。
【００２１】
図２は、実施例方法のタオル投入時の要所の断面側面図である。円筒容器２１内に投入された濡れタオル８１はストレーナー９９上に堆積する。ストレーナー９９はタオル脱水器１１の基体４４に固着されている。
【００２２】
図３は、実施例方法の円筒容器２１内に投入された濡れタオル８１が、押圧棒３１で押圧されて脱水が終了し、圧縮脱水されたタオル８２がストレーナー９９上に圧縮された図である。濡れタオルの押圧の最初は、押圧棒３１を垂直方向に握持部３２を押下して脱水し、最後は押圧棒３１の握持部３２を少し斜倒させながら円筒内壁周縁部のタオル部分を接圧部３３の縁部が十分押圧するように握持部３２を少し斜倒させながら周回する。
【００２３】
図４は、濡れタオル８１が押圧棒３１により押圧されて脱水が終了し、脱水圧縮されたタオル８２を円筒容器２１の底部から取り出すために円筒容器２１を斜倒させた状態を示している。押圧棒３１による押圧で脱水が終了し、円筒容器２１底部に脱水圧縮されたタオル８２を円筒容器２１から取り出すために、先ず、押圧棒部３１を円筒容器２１から引き抜き、次に円筒容器２１上部を握持して蝶番７７側へ斜倒させて、円筒容器２１上口縁部をタオル脱水器１１の基体４４上面に接触させる。斜倒した円筒容器２１底部に脱水圧縮されたタオル８２が露呈しているから摘出する。
【００２４】
本発明装置を用いて、片手で濡れタオルを脱水する操作を記述する。縦立した円筒容器２１に洗面器などから引き上げた状態の濡れタオルをそのまま流し込むように投入する。押圧棒３１の握持部３２を握持して円筒容器２１に挿入し、垂直に押圧すると円筒容器２１の側壁の穿孔２２と円筒容器２１底部のストレーナー９９から多量の排水がある。最後に円筒内壁周縁部のタオル部分の加圧のために、押圧棒３１の握持部３２を斜倒して接圧部３３の縁部で押圧を繰返し円筒内壁周縁部を周回する。円筒容器２１の側壁の穿孔からの排水の終息を視認して押圧操作は終了する。円筒容器２１から押圧棒３１を引き抜き、縦立している円筒容器２１を蝶番７７側へ斜倒させて筒容器２１底部に露呈しているタオル８２を摘出する。
【実施例】
【００２５】
内径７４ミリメートル、厚み２ミリメートル、長さ２０センチメートルの塩化ビニール製円筒を使用したタオル脱水器で実施した結果を記述する。縦立したに円筒容器２１に濡れタオルを流し込むように投入し、押圧棒部３１を円筒容器２１に挿入し押圧してタオルを脱水した。最後は、円筒内壁周縁部のタオル部分の加圧のために、押圧棒３１の握持部３２を斜倒して接圧部３３の縁部で押圧を繰返し円筒内壁周縁部を周回した。円筒容器２１の側壁の穿孔２２からの排水の終息を視認して押圧棒３１を円筒容器２１から抜き出し、円筒容器２１を斜倒させて円筒容器２１底部に露呈しているタオル８２を摘出した。脱水度は、健常者の大人が両手で絞ったタオルには及ばないが、皮膚面の水滴を十分に拭き取ることができた。この試作器を、障害者自立交流センターに持参し、片麻痺の人達が実施した結果、本発明のタオル脱水器の脱水効果は良好で、また、手軽に操作できることも好評であった。
【００２６】
本装置は家庭の浴室はもとより、多人数が入る浴場にも携帯できる。
【図面の簡単な説明】
【００２７】
【図１】本発明のタオル脱水器の斜視図である。
【図２】タオル投入時の要所の断面側面図である。
【図３】タオル押圧後の要所の断面側面図である。
【図４】斜倒した円筒容器の要所の断面側面図である。
【符号の説明】
【００２８】
１１    タオル脱水器
２１    円筒容器
２２    円筒容器穿孔  
３１    押圧棒  
３２    握持部
３３    接圧部
４４    タオル脱水器基体
５５    基体部支柱
６６    円筒容器保持アーム
７７    蝶番
８１,８２    タオル
９９    ストレーナー
【図１】
2006296547.tif 000003
【図２】
2006296547.tif 000004
【図３】
2006296547.tif 000005
【図４】
2006296547.tif 000006